Podtech/llm-jp-corpus-v4-ja_patent huggingface dataset:
(57)【要約】      （修正有）【課題】主にスケッチの際、空間の任意の２点の二次元的距離を測定しその距離を紙面等の平面上に写し取る工程で、測定した距離と写し取った距離の誤差を少なくし、またその測定の縮尺を一定に保てる測定位置調節ベルト付き改造コンパスを提供する。【解決手段】コンパスの２つの足のうち円弧を描く時に軸足になる側の足を取り外しそこにもう一方の円弧を描く側の足と同じ足を対になるように取り付け両足共に線を描けるように改造した改造コンパス（測定器１）と、使用者の首から下げ複数の接続穴を有するベルト２を接続して使用することにより使用者から一定の距離で改造コンパスの足を開くことが出来るようにし、それにより使用者から見た空間上に任意の２点の二次元的直線距離をほぼ一定の縮尺で測定出来るようにし、その測定した距離をそのまま改造コンパスの両足の芯を用いて紙面等に記せるようにする。【選択図】図３
0003198344.tif 000002
【実用新案登録請求の範囲】
【請求項１】
コンパスもしくはディバイダーの両端をそれぞれえんぴつ芯、えんぴつ、シャープペンに替えた測定器と、測定者の首に掛け一定の縮尺で測定できるようにするベルトを接続して使用することにより、主にスケッチの時の空間の任意の２点の二次元的距離の測定を一定の縮尺で測定出来るようにし、紙面等の平面へのその距離の書き写しを容易にし測定した距離と書き写した距離との誤差を軽減させるための道具である。
【考案の詳細な説明】
【技術分野】
【０００１】  主にスケッチの際に利用し、測定者から見た空間の任意の２点の二次元的距離を一定の縮尺で測定しその測定した距離を紙面等の平面上に写し取る時に使用する道具である。
【背景技術】
【０００２】  従来、スケッチの際に空間の２点の二次元的距離を測定してその距離を紙面等に写し取るには腕を伸ばし手に持ったえんぴつなどの筆記具に親指をあて筆記具をスケール代わりにして距離を測定し、その筆記具を紙面上に持ってきて筆記具の一端と親指を当てている所の距離を紙面上で確認しその筆記具で測定した距離を紙面上に写し取っていた。また測定の縮尺を変えるには腕を一定の角度で曲げるなどして測定していた。
【考案の概要】
【考案が解決しようとする課題】
【０００３】  スケッチの際、従来のやり方で空間の２点の二次元的距離を測定して紙面上に写し取るやり方では測定した距離と写し取った距離との間に誤差が生じてしまいやすかった。どこの段階で誤差が生じやすいのかというと測定の時にスケール代わりで使用した筆記具を紙面上に持ってきて筆記具の一端と指で押さえている所の距離を写し取る時に一度筆記具を紙面上から外してその筆記具で写し取っていた。この時に誤差が生じてしまいやすかった。また測定の縮尺を腕を伸ばしきった位置とは別の縮尺で行う場合はその縮尺を一定に保つことは難しかった。
【課題を解決するための手段】
【０００４】  この考案が従来の測定方法と違うのはまず測定にコンパスもしくはディバイダーの両端をえんぴつ芯、えんぴつ、シャープペンに替えたものを測定器として使用する。その測定器の両端を開いて空間の２点の二次元的距離を測定する。そしてその測定した距離をそのまま測定器の両端の芯を使用して紙面上に２点同時に写し取る。これによりほぼ測定したままの距離を紙面上に写し取ることが出来るようになる。また測定器と測定者をベルトで結ぶことにより測定の縮尺を一定に保てるようになる。
【考案の効果】
【０００５】  測定にコンパスもしくはディバイダーの両端をえんぴつ芯、えんぴつ、シャープペンに替えたものを使用することにより測定後の書き写しの際に生じやすかった誤差の発生を抑えることが出来るようになった。また測定者と測定器をベルトで結ぶことにより測定の縮尺を一定に保ちやすくなった。
【図面の簡単な説明】
【０００６】
【図１】コンパスもしくはディバイダーの両端をそれぞれえんぴつ芯、えんぴつ、シャープペンに替えた測定器とベルトの正面図。測定器は３つのうちいずれか１つをベルトの任意の穴に取り付けて使用する。
【図２】コンパスもしくはディバイダーの両端をそれぞれえんぴつ芯、えんぴつ、シャープペンに替えた測定器とベルトの平面図。測定器は３つのうちいずれか１つをベルトの任意の穴に取り付けて使用する。
【図３】コンパスもしくはディバイダーの両端をえんぴつ芯、えんぺつ、シャープペンに替えた測定器とベルトを接続して空間の２点の二次元的距離を測定している様子。
【図４】測定した２点の二次元的距離を紙面上に写し取っている様子。
【考案を実施するための形態】
【０００７】  ベルトの一端を測定者の首に掛ける。ベルトの首に掛けた側と反対側の一端の任意の穴に測定器を取り付ける。測定器を手に持ってベルトが張る位置まで伸ばし測定者の目線に持ってきて測定器が測定者の目線の方向と垂直になる角度にして空間の測定しようと思う２点の二次元的距離を測定器の両端を開いて測定する。測定したらその距離を測定器の両端の芯で紙面等の平面上に写し取る。
【実施例】
【０００８】  以下、添付図面に従って実施例を説明する。１はコンパスもしくはディバイダーの両端をえんぴつ芯に替えたもの、コンパスの両端をえんぴつに替えたもの、コンパスの両端をシャープペンに替えたものであり、測定器として使用する。２は測定者と測定器を繋ぎ測定の縮尺を一定に保つ役割をするベルトである。形状としては一端を測定者の首に掛けられる構造になっている。測定者の首から垂れる側には測定器を取り付ける穴が複数あけられている。素材はゴムや革のように強度と伸縮性のある素材を使用する。測定には２のベルトを測定者の首に掛けベルトの任意の穴に１の測定器を取り付けて使用する。
【符号の説明】
【０００９】１  測定器
２  ベルト
【図１】
0003198344.tif 000003
【図２】
0003198344.tif 000004
【図３】
0003198344.tif 000005
【図４】
0003198344.tif 000006
【手続補正書】
【提出日】平成27年4月9日(2015.4.9)
【手続補正１】
【補正対象書類名】実用新案登録請求の範囲
【補正対象項目名】請求項１
【補正方法】変更
【補正の内容】
【請求項１】
コンパスの２つの足のうち円弧を描く時に軸足になる側の足を取り外しそこにもう一方の円弧を描く側の足と同じ足を対になるように取り付け両足共に線を描けるように改造した改造コンパスと、使用者の首から下げ複数の接続穴を有するベルトを接続して使用することにより使用者から一定の距離で改造コンパスの足を開くことが出来るようにし、それにより使用者から見た空間上に任意の２点の二次元的直線距離をほぼ一定の縮尺で測定出来るようにし、その測定した距離をそのまま改造コンパスの両足の芯を用いて紙面等に記せるようにした測定位置調節ベルト付き改造コンパス。
(57)【要約】      （修正有）【課題】利用者の音声内容への対話内容が豊富であって、対話する際に動作を行う玩具を提供する。【解決手段】音声識別部において利用者の音声内容を認識し、認識結果が登録されている内容と合致する時は予め用意されている内容で応答部から応答し、合致しない時は録音された利用者の音声内容を再生部から再生することを、駆動部において行われる所定の動作とともに行うことを特徴とする。【選択図】図１
0003198350.tif 000002
【実用新案登録請求の範囲】
【請求項１】
利用者の音声内容を認識し、認識結果が登録されている内容と合致する時は予め用意されている内容で応答し、合致しない時は録音された利用者の音声内容を再生することを、所定の動作とともに行うことを特徴とする玩具。
【考案の詳細な説明】
【技術分野】
【０００１】
本考案は、玩具に関する。より詳細には、幼児からお年寄りまで、飽きることなく楽しむことができる動作付き音声対話型玩具に関する。
【背景技術】
【０００２】
動作付き音声対話型玩具は、幼児やお年寄りに限らず、都会でペットを飼えない一人暮らしの若者などにも人気があることから、様々な種類のものが提案されている（例えば特許文献１）。しかしながら、その対話内容は必ずしも豊富とは言えない。
【先行技術文献】
【特許文献】
【０００３】
【特許文献１】実開平５−８２４８８号公報
【考案の概要】
【考案が解決しようとする課題】
【０００４】
そこで本考案は、利用者の音声内容への対話内容が豊富であって、対話する際に動作を行う玩具を提供することを目的とする。
【課題を解決するための手段】
【０００５】
上記の点に鑑みてなされた本考案の玩具は、請求項１記載の通り、利用者の音声内容を認識し、認識結果が登録されている内容と合致する時は予め用意されている内容で応答し、合致しない時は録音された利用者の音声内容を再生することを、所定の動作とともに行うことを特徴とする。
【考案の効果】
【０００６】
本考案の玩具は、利用者の音声内容への対話内容が豊富であって、対話する際に動作を行うので、幼児からお年寄りまで、飽きることなく楽しむことができる。
【図面の簡単な説明】
【０００７】
【図１】本考案の玩具の、利用者の音声内容の認識結果が登録されている内容と合致する時の対話内容と動作の一例を模式的に示す図である。
【図２】同、利用者の音声内容の認識結果が登録されている内容と合致しない時の対話内容と動作の一例を模式的に示す図である。
【考案を実施するための形態】
【０００８】
本考案の玩具は、利用者の音声内容を認識し、認識結果が登録されている内容と合致する時は予め用意されている内容で応答し、合致しない時は録音された利用者の音声内容を再生することを、所定の動作とともに行うことを特徴とするものである。以下、本考案の玩具の一実施態様を説明するが、本考案の玩具は以下の記載に限定して解釈されるものではない。
【０００９】
本考案の玩具の外形は、例えば人形や動物のぬいぐるみである。電源がＯＮの状態で、利用者の音声内容が集音部から入力されると、録音部で録音されるとともに、音声分析部で分析されて音声パターンが作成される。作成された音声パターンは、音声識別部に登録されている標準パターンと比較され、合致する標準パターンが存在する時は、その標準パターンに対する信号を認識結果とし、この信号が応答部と駆動部に送られる。そして、応答部から、合致した標準パターンに対して予め用意されている内容の応答が行われるとともに、駆動部において所定の動作が行われる。図１は、応答部による利用者への応答と駆動部による動作の一例を模式的に示す図である。利用者の音声内容である「おはよう」の音声パターンは、音声識別部に登録されている標準パターンとして存在するので、予め用意されている「おはよう、今日も一日がんばろう」との応答が行われるとともに、駆動部において所定の動作（首を振ったり手をパタパタしたり）が行われる。
【００１０】
一方、音声分析部で作成された利用者の音声内容の音声パターンが音声識別部に登録されている標準パターンと合致しない時は、合致する標準パターンが存在しないことの信号を認識結果とし、この信号が再生部と駆動部に送られる。そして、再生部から、録音部に録音されている利用者の音声内容の再生が行われるとともに、駆動部において所定の動作が行われる。図２は、再生部による利用者の音声内容の再生と駆動部による動作の一例を模式的に示す図である。利用者の音声内容である「いちにっさん」の音声パターンは、音声識別部に登録されている標準パターンとして存在しないので、録音部に録音されている利用者の音声内容の再生が行われるとともに、駆動部において所定の動作（首を振ったり手をパタパタしたり）が行われる。
【００１１】
上記の本考案の玩具は、例えばＩＣを用いてシステム制御することができる。音声識別部に標準パターンをｍ通り登録しておくとともに、それぞれの標準パターンに対してｎ通りの応答内容を予め用意しておくことで、利用者の音声内容に対してｍ×ｎ通りの対話ができる（標準パターンに対して複数の応答内容を予め用意しておく場合には応答内容の選択は規則性を持って行ってもよいしランダムに行ってもよい）。また、利用者の音声内容の音声パターンが音声識別部に登録されている標準パターンと合致しない時には利用者の音声内容が再生されるので、利用者の音声内容の数だけ対話ができる。加えて、対話する際に動作が伴うので、幼児からお年寄りまで、飽きることなく楽しむことができる。
【産業上の利用可能性】
【００１２】
本考案は、利用者の音声内容への対話内容が豊富であって、対話する際に動作を行う玩具を提供することができる点において産業上の利用可能性を有する。
【図１】
0003198350.tif 000003
【図２】
0003198350.tif 000004
【手続補正書】
【提出日】平成27年4月16日(2015.4.16)
【手続補正１】
【補正対象書類名】実用新案登録請求の範囲
【補正対象項目名】全文
【補正方法】変更
【補正の内容】
【実用新案登録請求の範囲】
【請求項１】
音声識別部において利用者の音声内容を認識し、認識結果が登録されている内容と合致する時は予め用意されている内容で応答部から応答し、合致しない時は録音された利用者の音声内容を再生部から再生することを、駆動部において行われる所定の動作とともに行うことを特徴とする玩具。
(57)【要約】      （修正有）【課題】人の手を借りずにどこでも簡単に一人でストレッチを行えるストレッチボールを提供する。【解決手段】ウレタンを使用した球形状のものが二つ繋がっているストレッチボールで、直径５ｃｍの円球が二つ、高さ６ｃｍのサイズと、直径６ｃｍの円球が二つ、高さ７ｃｍのサイズの二種類を作成する事で各人の体格に合わせて使用する。【選択図】図２
0003198379.tif 000002
【実用新案登録請求の範囲】
【請求項１】
ウレタンを使用した球形状のものが二つ繋がっているストレッチボール。
【考案の詳細な説明】
【技術分野】
【０００１】本発明は、人の手を借りずにどこでも簡単に一人でストレッチを行えるものである。
【背景技術】
【０００２】素材がウレタンであり、サイズも小さく持ち運びが可能な利点がある。
また、ストレッチを行う肢位も限定されず、個人の体型・体重などに対応し形状の変化が可能であり、各人の体型に合わせて使用することが可能である。ボール形状であるため、少しの移動にてストレッチする部位の変更も可能である。
【考案の概要】
【考案が解決しようとする課題】
【０００３】日常生活の中で、ストレス・運動不足により生じる肩こり、腰痛などの改善を目的とし、継続して使用することで姿勢改善を自己管理のもとで行えるようにする。
【課題を解決するための手段】
【０００４】写真付きの冊子に本発明品を使用した実際のストレッチ動作を掲載、日常生活で活用できる場面を想定し案として記載する。また、腰痛・肩こりなどの疼痛増悪が考えられる場合など禁止事項の明記も行う。
【考案の効果】
【０００５】ボール形状であるために、少しの移動でストレッチが可能である。また、身体との接地面が絞られるため、限定した筋肉に対してのストレッチが可能となる。
【図面の簡単な説明】
【０００６】
【図１】実際に開発した商品です。２つのウレタン性の円球がつながっているもので、１つのかたまりから円球を２つ作り出すので円球の間は離れていません。図１は体格の大きい方向けに作成しました。
【図２】実際に開発した商品です。２つのウレタン性の円球がつながっているもので、１つのかたまりから円球を２つ作り出すので円球の間は離れていません。図２は体格の小さい方向けに作成しました。
【図１】
0003198379.tif 000003
【図２】
0003198379.tif 000004
(57)【要約】      （修正有）【課題】ポケットを有する収納ケースにおいて、マスク等を収納するポケットとして使用することに加え、ポケットティッシュを落下することなく固定し、そのまま中身を取り出し使用できる収納ケースを提供する。【解決手段】プラスチックシートを折り曲げて１辺又は２辺を溶着加工してできたポケット部分に帯状のミシン目６加工を施すことにより、使用者がハサミ等を使用せず容易に切り離すことができ、ポケットティッシュを固定して落下すること無く携行及び使用できる。ポケットティッシュを固定するため、ミシン目５を切り離すことで開口部を設けるが、その際に捨てる部分が無くゴミを出さない構造とする。【選択図】図１
0003198376.tif 000002
【実用新案登録請求の範囲】
【請求項１】
プラスチックシートを折り曲げて１辺又は２辺を溶着加工してできたポケット部分に帯状のミシン目加工を施すことにより、使用者がハサミ等を使用せず容易に切り離すことができ、ポケットティッシュを固定して落下すること無く携行及び使用できることを特長とするポケットティッシュ収納機能付ケース。
【請求項２】
ポケットティッシュを固定するため、ミシン目を切り離すことで開口部を設けるが、その際に捨てる部分が無くゴミを出さない構造を特長とする［請求項１］のポケットティッシュ収納機能付ケース。
【請求項３】
材料となるプラスチックシートに抗菌加工を施すことで、マスク等を清潔に収納して携行できることができる［請求項１］のポケットティッシュ収納機能付ケース。
【考案の詳細な説明】
【技術分野】
【０００１】本考案は、主としてプラスチックシート製の収納ケースにおいて、ポケットティッシュの固定方法に関するものである。
【背景技術】
【０００２】プラスチックシートを折り加工及び溶着加工して製作された収納ケースは、例えば花粉対策や風邪対策としてマスクを携行する際や、使用中のマスクを取り外した時に収納するのに従来から使用されている。それらは、１辺又は２辺が開口しており、内容物を容易に収納できるが、２辺が開口している場合には、内容物が落下しやすい欠点がある。又、マスクと一緒にポケットティッシュを収納できると便利であるが、ティッシュペーパーを取り出したい時に、ポケットティッシュの本体を取り出す必要があり不便であった。
【考案が解決しようとする課題】
【０００３】本考案はプラスチックシートを材料として、折り加工及び１辺又は２辺を溶着加工して製作されたケースのポケット部分にポケットティッシュを固定し、更に使用する際にポケットティッシュの本体を取り出すこと無く中身を取り出すことができる。
更に、ポケットティッシュを収納した状態で、マスク等を一緒に収納できるようにする。又、マスクを収納する場合には、プラスチックシートに抗菌加工をすることで、ケース本体への雑菌の付着を防ぐことができる。
【課題を解決するための手段】
【０００４】本考案は、１枚のプラスチックシートで構成される。ポケット部分には帯状に並走する２本のミシン目加工が施されており、はさみ等を使用することなく手で簡単に切り離すことができる。切り離した切込み部分の長さは、ポケットティッシュの大きさに最適化されている。並走する２本のミシン目を切り離すことによって出来た帯状の部分との隙間にポケットティッシュを挿入することにより、固定できる構造とした。また、並走する２本のミシン目は交わらないため、本体から完全に切り離されないためゴミが出ない。
【考案の効果】
【０００５】本考案では、ポケットにマスク等を収納できるだけで無く、マスクのみ又は、ポケットティッシュのみ、マスクとポケットティッシュの３通りの使い方ができる。ポケットティッシュを固定することができるため、２辺が開口している形状であっても、落下を防止することができる。ティッシュペーパーを使用する際には、帯状の開口部から取り出すことができ、ポケットティッシュ本体を取り出すこと無く使用できる。
【図面の簡単な説明】
【０００６】
【図１】本考案の展開図
【図２】本考案の斜視図
【図３】本考案の別の実施態様を示す斜視図
【図４】本考案の使い方を示す斜視図（部分）
【図５】本考案を下部から見た断面図
【考案を実施するための形態】
【０００７】以下、本考案の形態を図に基づいて説明する。
【実施例１】
【０００８】（図１）は型抜きされた１枚のプラスチックシートである。このプラスチックシート（図１）の（Ａ）辺と（Ｂ）辺を谷折りにして、（Ｃ）辺と（Ｄ）辺、（Ｅ）辺と（Ｆ）辺をそれぞれ溶着加工し、２辺から成る開口部（１）と開口部（２）を持つ２つのポケットを持つ収納ケースができる。その他（Ｃ）辺、（Ｄ）辺、（Ｅ）辺、（Ｆ）辺に対する（Ｇ）辺、（Ｈ）辺、（Ｉ）辺、（Ｊ）辺もそれぞれ溶着することで、１辺から成る開口部（３）と開口部（４）を持つポケットとすることもできる。ポケットに設けられた２本のミシン目（５）は一般的なポケットティッシュ（８）の収納に最適な長さとなっていて、切り離すことで、帯状の切れ目（６）ができる。ポケットティッシュ（８）を収納する際には、その帯状の切れ目（６）がポケットティッシュ（８）の下になるように挿入する。そうすることで、開口部（７）からティッシュペーパーを取り出すことができる。また、２辺が開口している形状においても、開口部（１）からポケットティッシュが落下することが無い。
【符号の説明】
【０００９】１  開口部
２  開口部
３  開口部
４  開口部
５  ミシン目
６  帯状の切れ目
７  ミシン目を切り離すことで出来た開口部
８  ポケットティッシュ
Ａ  折り目
Ｂ  折り目
Ｃ  辺
Ｄ  辺
Ｅ  辺
Ｆ  辺
Ｇ  辺
Ｈ  辺
Ｉ  辺
Ｊ  辺
Ｋ  面
Ｌ  面
Ｍ  面
Ｎ  面
【図１】
0003198376.tif 000003
【図２】
0003198376.tif 000004
【図３】
0003198376.tif 000005
【図４】
0003198376.tif 000006
【図５】
0003198376.tif 000007
(57)【要約】      （修正有）【課題】ベルト型の装具に設定された回転体が、腹部を刺激して、便秘などの腹部の不調解消を図る健康用の装具であって、腹部の不調に対し、過激な刺激を避け、ソフトな刺激で腹部内臓器官の機能回復と活性化を図る健康用の装具を提供する。【解決手段】回転軸にワイヤー５を貫通させ連珠状に連繋した複数個の回転体３が、合同形の２枚のプレート１、２にあけられた円孔内４に収容され、ワイヤーを回転軸にして回転できるように構成されたプレートの左右に装着用の弾性体６を接続し、その弾力によって回転体が腹部を刺激する仕組みである。【選択図】図１
0003198380.tif 000002
【実用新案登録請求の範囲】
【請求項１】
回転軸にワイヤー（５）を貫通させ連珠状に連繋した複数個の回転体（３）が、合同形の２枚のプレート（１）、（２）にあけられた円孔内（４）に収容され、ワイヤーを回転軸にして回転できるように構成されたプレートの左右に装着用の弾性体（６）を接続し、その弾力によって回転体が腹部を刺激する仕組みの健康用の装具。
【考案の詳細な説明】
【技術分野】
【０００１】  本考案は腹部周囲に装着するベルト型の健康用装具に関する。
【背景技術】
【０００２】  １４年前に結腸癌のため手術を受けた私は、後遺症に長く悩まされた。マッサージが痛みを除く最良手段だが、毎日の通院が無理で、自宅でマッサージをすることにした。医師から過激な刺激は避けるように言われ、ソフトなマッサージ器を求めたが見つからない。動きが過激で私には向かないものばかりである。やむなくマッサージ器とはいえない素朴な装具を自作した。改良を重ね、使う内に効果が感じられ、腹部の不調が徐々になくなった。何回か腸閉塞になりかけた便秘が改善され、ようやく元気になったのは１０年後であった。２０１４年５月３日付Ｙ新聞に「腹部への刺激が腸の活性化を招く」という記事が載った。私は自作の装具が腹部に適切な刺激を与えるのに役立ったと知った。世の多くの腹部不調に悩む方々のお役に立てばと、発表する次第である。
【先行技術文献】
【０００３】  参考文献  ―  ２０１４年５月３日付読売新聞「くらし・健康欄」所載
『便秘にさよなら、腸に刺激を与える運動』
【考案の概要】
【考案が解決しようとする課題】
【０００４】  本考案は腹部の不調を、腹部内臓器官の刺激と運動によって改善するものである。腹部周囲に装着したベルトの一部に設定された回転体が、装着用の弾性体の弾力によって、常時腹部を押し圧して刺激が行われる。同時にベルトを手に腹部を下から上に持ち上げる上下運動によって、腹部内臓器官機能が高まり、腹部不調が改善される。本考案はこのエクササイズを容易に行うための装具である。
【課題を解決するための手段】
【０００５】  本考案は腹部周囲に装着するベルト型の健康用装具で、主要部分（腹部）に設定した回転体が、装着用の弾性体の弾力により、常時腹部を押し圧し、弱い刺激を与える仕組みである。回転体は球体で、着衣の上にベルトのように締め、１日４〜５時間装着する。弱い刺激を長時間かけて腹部に与えるから、強い刺激による過剰反応などの心配が無く、気軽に使える点が特色である。
【考案の効果】
【０００６】（イ）本考案は腹部の不調解消、機能回復に効果があり、便秘の改善、排泄の改善、食欲増進等の効果が見られる。
（ロ）本考案は手を加えなくても腹部への刺激が行なわれ、音がしないから座業中や立ち仕事中、歩行中も使用できる。
（ハ）手動による装具の上下運動を加えると、素手では難しい腹部内臓器官の運動が行われ、腹部活性化に役立つ。
（ニ）簡単な構成で軽量であるからメンテナンスが不要で気軽に使え実用性が高い。
【図面の簡単な説明】
【０００７】
【図１】本考案の全体図で正面斜視図である。
【図２】本考案の回転体設定の説明図である。
【考案を実施するための形態】
【０００８】  本考案の主材料は耐久性のある樹脂性ボード（厚さ２．５ミリの低発泡ポリエチレン）で、断りがない場合はこの素材を使う。また例示作品の寸法は標準型である。
（イ）本考案の構成は、腹部に接触するプッシュプレート（幅７センチ、長さ６０センチの長方形のポリエチレン樹脂）と、その端末に接続する長さ５０センチの弾性体（アラミド繊維にナイロン皮膜）である。弾性体はプッシュプレートの左右どちらかの端末に接続し、中間をプッシュプレートの孔で折り返して先端に接続し装着に使う。装具全体を腹部周囲の着衣の上に装着すると共に、弾性体の弾力によって腹部に刺激を与える役割を持たせる。柔軟で十分な弾力性（伸び代）と耐久性が必要である。
（ロ）プッシュプレートは同寸法のものをもう１枚用意し、２枚を対称形に形成する。２枚を重ね、直径３５ミリの円孔１０個を、１５ミリの間隔をあけてプッシュプレートの中心線上に穿つ。２枚のプッシュプレートを分離して、ナイロンのワイヤー（外径２．４ミリ）を用いて回転体（木製の球体を使う）の回転軸にあけた軸孔に貫通させ、１０個の回転体をワイヤーと共にプッシュプレートの円孔に入れ収容する。ワイヤーは回転体が容易に回転できるように、たるみ無く張る。ワイヤーの端末は、プッシュプレートの外縁から３０ミリ離し、あらかじめあけたボルトの孔の位置に、長径が４０ミリほどの楕円形に形成した輪（口元は結束金具で緊縛する）の中心を、プッシュプレートの上から、外径４ミリ、長さ１０ミリのボルト（袋ナット使用）によって固定する。次いでプッシュプレートの端末の外縁より２０ミリ内側に、中心線に直交させて長さ２０ミリ，巾１５ミリの装着用の弾性体を接続する孔をあける。弾性体は折り返して長さを調節し、もう一方のプッシュプレートとの孔にフックを差し入れて接続する。
本考案の構成は以上の通りである。
【符号の説明】
【０００９】１．プッシュプレート（Ａ）  ２．プッシュプレート（Ｂ）  ３．回転体
４．円孔  ５．ワイヤー  ６．弾性体  ７．ビニールコード
【図１】
0003198380.tif 000003
【図２】
0003198380.tif 000004
(57)【要約】      （修正有）【課題】鉄骨の柱を補強することにより、流木、石、岩、土砂等の流れを止める柵の性能を増すことができる防護壁を提供する。【解決手段】鉄骨の柱１と、鉄骨の柱２と、中央の鉄骨の柱５とを有する防護壁であって、中央の鉄骨の柱５は鉄骨の柱１と鉄骨の柱２の間の中央の後ろ側に設置されているものにおいて、鉄骨の柱１及び鉄骨の柱２の後ろ側の上部と下部に梁４を設置して鉄骨の柱１と鉄骨の柱２の間を梁４で連結し、鉄骨の柱１と鉄骨の柱２との間に鉄骨の柱３を新設し、設置した梁４に新設の鉄骨の柱３を連結し、新設の鉄骨の柱３の後ろ側の上側又は下側に別の梁４を設置して新設の鉄骨の柱３と中央の鉄骨の柱５の間を別の梁４で連結し、鉄骨の柱１と鉄骨の柱２と新設の鉄骨の柱３の上部を更に別の梁４で連結して補強される。【選択図】図１
0003198351.tif 000002
【実用新案登録請求の範囲】
【請求項１】
鉄骨の柱（１）と鉄骨の柱（２）との間の後ろ側の上部と下部に梁（４）を設置し、設置した梁（４）に新設の鉄骨の柱（３）を設置し、新設の鉄骨の柱（３）の後ろ側に梁（４）を上側、下側に新設の鉄骨の柱（３）と中央の鉄骨の柱（５）の間に設置し、鉄骨の柱（１）（３）（２）の上部を梁（４）で連結して補強されている防護壁。
【請求項２】
鉄骨の柱（１）（３）（２）の下部の根元を連結して鉄筋コンクリート（６）で固めて補強されている防護壁。
【考案の詳細な説明】
【技術分野】
【０００１】  本考案は土砂崩れ、裏山の崩れから生命、住宅、財産を守るための防護壁、防護ダムに関するものです。
【背景技術】
【０００２】  本考案は、平成２６年１２月１９日、平成２７年１月９日、実用新案登録出願の追加出願です。
【考案の開示】
【考案が解決しようとする課題】
【０００３】  鉄骨の柱の防護壁の三角型組防護壁の縦の連壁２段構え以上で、横の連壁２段構え以上の連壁組をする場合、土砂崩れが来る前側の鉄骨の柱の役目は、土砂崩れのパワーの勢いの流木、石、岩、土砂等が前側の鉄骨の柱に当たります。特に全面の鉄骨の柱の役目は、柵の役目をして流木、石、岩等を止める構造になっております。けれども鉄骨の柱と柱の間隔が開きすぎて、柵の用をなさない状態です。柵の用をなすようにするには、鉄骨の柱と柱との間にもう１本以上の鉄骨の柱を設置する必要があります。
【課題を解決しようとする手段】
【０００４】  本考案を図とともに説明すれば、図１のように本考案の鉄骨の柱（１）と鉄骨の柱（２）との間に新設の鉄骨の柱（３）を設置するには、まず鉄骨の柱（１）と鉄骨の柱（２）との間の後ろ側の上側と下側に水平の梁（４）を設置し、設置した水平の梁（４）に新設の鉄骨の柱（３）を設置し、新設の鉄骨の柱（３）の後ろ側に梁（４）を上側と下側に新設の鉄骨の柱（３）と中央の鉄骨の柱（５）の間に設置して補強し、鉄骨の柱（１）（３）（２）の上部を梁（４）で連結して補強し、図２のように鉄骨の柱（１）（３）（２）の下部の根元を鉄筋コンクリート（６）で固めて連結して補強する。
【０００５】  鉄骨の柱（１）と鉄骨の柱（２）との間に新設の鉄骨の柱（３）が加わることにより、鉄骨の柱（１）と鉄骨の柱（３）との間隔が狭くなり、柵の構造の性能が良くなり、土砂崩れのパワーの威力に耐える強度が増すようになる。
【産業上の利用可能性】
【０００６】  鉄骨の柱と柱との間に新設の鉄骨の柱を加えることにより、流木、石、岩等の流れを止める柵の性能が良くなる。
【図面の簡単な説明】
【０００７】
【図１】本考案の三角型組の連壁平面図
【図２】本考案の斜面設置図
【符号の説明】
【０００８】１、鉄骨の柱
２、鉄骨の柱
３、新設の鉄骨の柱
４、梁
５、中央の鉄骨の柱
６、鉄筋コンクリート固め
【図１】
0003198351.tif 000003
【図２】
0003198351.tif 000004
【手続補正書】
【提出日】平成27年4月3日(2015.4.3)
【手続補正１】
【補正対象書類名】実用新案登録請求の範囲
【補正対象項目名】全文
【補正方法】変更
【補正の内容】
【実用新案登録請求の範囲】
【請求項１】
鉄骨の柱（１）と、鉄骨の柱（２）と、中央の鉄骨の柱（５）とを有する防護壁であって、中央の鉄骨の柱（５）は鉄骨の柱（１）と鉄骨の柱（２）の間の中央の後ろ側に設置されているものにおいて、
鉄骨の柱（１）及び鉄骨の柱（２）の後ろ側の上部と下部に梁（４）を設置して鉄骨の柱（１）と鉄骨の柱（２）の間を梁（４）で連結し、
鉄骨の柱（１）と鉄骨の柱（２）との間に鉄骨の柱（３）を新設し、
設置した梁（４）に新設の鉄骨の柱（３）を連結し、
新設の鉄骨の柱（３）の後ろ側の上側又は下側に別の梁（４）を設置して新設の鉄骨の柱（３）と中央の鉄骨の柱（５）の間を当該別の梁（４）で連結し、
鉄骨の柱（１）と鉄骨の柱（２）と新設の鉄骨の柱（３）の上部を更に別の梁（４）で連結して補強されている防護壁。
【請求項２】
請求項１に記載されている防護壁であって、鉄骨の柱（１）と鉄骨の柱（２）と新設の鉄骨の柱（３）の下部の根元を連結して鉄筋コンクリート（６）で固めて補強されている防護壁。
(57)【要約】      （修正有）【課題】長さを測定する際に、スケールを屈曲させる等の煩雑さがなく、また屈曲させたときの弛みによる誤差が生じないようにする、スケールを提供する。【解決手段】スケール本体１の表面又は裏面に容器２の幅の長さを加算した加算目盛４を記載し、容器２は容器の形状を略直方体とすることによる自立機構を備えている。長さの測定を行う場合には、スケール本体１を屈曲させることなく加算目盛４を読むと容易に正確な測定が可能となる。【選択図】図１
0003198560.tif 000002
【実用新案登録請求の範囲】
【請求項１】
表面または裏面に容器２の幅の長さを加算した加算目盛４が記載されたスケール本体１と、
自立機構を備えた容器２と、
からなるスケール。
【請求項２】
容器底面２１または容器側面２２が平らな面からなる容器２と，
表面または裏面に容器２の幅の長さを加算した加算目盛４が記載されたスケール本体１と，
からなるスケール。
【考案の詳細な説明】
【技術分野】
【０００１】
本考案は、長さを正確かつ容易に測定することが可能なスケールに関するものである。
【背景技術】
【０００２】
一般的なスケールを使用して長さ（内寸等）などを測定する場合、スケール本体の先端にある突辺部分に測定物の端を合わせた後、スケール本体を伸縮し、測定物の長さに相当する箇所でスケール本体を垂直に屈曲し目盛りを読むことによって測定する。
【０００３】
しかし、このような一般的なスケールによる測定では、屈曲時にスケール本体が弛むことによって誤差が生じる場合があり、屈曲するのに必要な空間を確保する必要もある。
【０００４】
また，前述したように突辺部分に端を合わせながらスケール本体を伸縮する必要があるため、高低差のあるものを測定する場合や数メートル以上のものを測定する場合に作業が煩雑となり、誤差が生じることも多い。
【考案の概要】
【考案が解決しようとする課題】
【０００５】
解決しようとする問題点は、スケールによる測定時の煩雑さ及びスケール本体の弛みによる誤差が生じる点である。
【課題を解決するための手段】
【０００６】
本考案は、スケールに自立機構を備えており、スケール本体の表面又は裏面に容器本体幅を加算した目盛りが記載されたことを主要な特徴とする。
【考案の効果】
【０００７】
本考案は，スケール本体の表面又は裏面に容器の幅を加算した目盛りが記載されているため、スケール本体を屈曲して目盛りを読む必要がなく、弛みによる誤差もない。スケール本体の屈曲が不要であるため、狭小空間での測定も可能である。また自立する機構を備えているため、高さの測定や数メートル以上の長さを測定する場合にも１人で行うことが可能となっている。
【図面の簡単な説明】
【０００８】
【図１】図１は本考案の実施例の斜視図である。（実施例１）
【図２】図２は本考案の実施例の説明図である。
【考案を実施するための形態】
【実施例１】
【０００９】
以下図示された実施例に基づいて説明する。
【００１０】
スケール本体１には表面又は裏面のいずれかに容器２の幅を加算した加算目盛４が記載されている。さらに表面又は裏面のいずれかに通常の目盛りが記載された標準目盛５も記載されている。スケール本体１は金属製、樹脂製、又は布製のいずれであってもよいが、金属製が最も好ましい。
【００１１】
容器２には、容器全体の形状を略直方体とすることによって自立機構を備えている。容器２に自立機構を備えることで計測が容易となる。自立機構としては、他に脚部を備えたものでもよい。
【００１２】
使用例としては図２に示すように、測定場所の一方に容器２を置き、スケール本体１を送り出し、スケール本体１の先端にある突辺３をもう一方につけ、加算目盛４を読むことによって正確な計測が可能となる。
【符号の説明】
【００１３】
１    スケール本体
２    容器
２１  容器底面
２２  容器側面
３    突辺
４    加算目盛
５    標準目盛
S    スケール
【図１】
0003198560.tif 000003
【図２】
0003198560.tif 000004
(57)【要約】      （修正有）【課題】入浴中に、背部などの手の届きにくい部位を、気軽に掻いたり洗浄したりすることができる孫の手型シャワーヘッド及びスポンジを提供する。【解決手段】シャワーヘッドの柄の部分３に、収納かつ延長可能な外筒４を付加して長くすることで、シャワーヘッドの先端部分が手の届きにくい背部に届くようにし、さらにシャワーヘッドの先端部に爪状の構造２を付帯させることで、孫の手と同様に背部を掻痒することを可能とした。さらにシャワーヘッドの先端部分をあらかじめシャワーヘッドの先端部分に合うように切り抜いたスポンジ１に挿入し、固定することで、手の届きにくい背部を、お湯を出しながら洗浄できるようにした。【選択図】図１
0003198558.tif 000002
【実用新案登録請求の範囲】
【請求項１】
シャワーヘッドの柄の部分を、収納構造により従来より長くすることを可能とすることで、シャワーヘッドの先端部分が手の届きにくい背部に届くようにし、さらにシャワーヘッドの先端部に爪状の構造を付帯させることで、背部を掻痒することを可能とし、さらにシャワーヘッドの先端部分をあらかじめシャワーヘッドの先端部分に合うように切り抜いたスポンジに挿入し、爪状の構造部分を利用して当該スポンジを固定することができるようにすることで、手の届きにくい背部を、お湯を出しながらにして洗浄することを可能としたことを特徴とする孫の手型シャワーヘッド及びスポンジ。
【考案の詳細な説明】
【技術分野】
【０００１】
本考案は、収納構造となったシャワーヘッドの柄の部分を伸長することで、孫の手と同様に先端部に設けられた爪で手の届きにくい背部を掻いたり、シャワーヘッドの先端部を挿入し固定したスポンジにより洗浄したりすることができる孫の手型シャワーヘッド及びスポンジに関するものである。
【背景技術】
【０００２】
シャワーヘッドとは、『インテリア学辞典』によれば、「シャワー用給水栓の端末に取付けられる散水用の器具。多数の孔から湯水を分散して噴出する。固定シャワー用とハンドシャワー用がある」とされている。
【先行技術文献】
【特許文献】
【０００３】
【特許文献１】特開2014‐108272号広報
【非特許文献】
【０００４】
【非特許文献１】小原  二郎／所  荘吉／渡辺  優／國吉  惠梨子  [編・著]  「インテリア学辞典」  壁紙材料協会  発行、1995年３月10日、ｐ．502
【考案の概要】
【考案が解決しようとする課題】
【０００５】
入浴中に、背部などの手の届きにくい部位を、シャワーヘッドにより気軽に掻いたり洗浄したりすることができることを課題とした。
【課題を解決するための手段】
【０００６】
シャワーヘッドの柄の部分を、収納構造により従来より長くすることを可能とすることで、シャワーヘッドの先端部分が手の届きにくい背部に届くようにし、さらにシャワーヘッドの先端部に爪状の構造を付帯させることで、孫の手と同様に背部を掻痒することを可能とし、さらにシャワーヘッドの先端部分をあらかじめシャワーヘッドの先端部分に合うように切り抜いたスポンジに挿入し、爪の部分を利用して当該スポンジを固定することができるようにすることで、手の届きにくい背部を、お湯を出しながらにして洗浄することを可能とする。
【考案の効果】
【０００７】
考案の使用者は、収納構造となったシャワーヘッドの柄の部分を展開することで伸長し、孫の手と同様に先端部に設けられた爪で手の届きにくい背部を掻いたり、シャワーヘッドの先端部を挿入し固定したスポンジによりお湯を出しながらにして洗浄したりすることができる。
【図面の簡単な説明】
【０００８】
【図１】孫の手型シャワーヘッドにスポンジを装着した状態の側部断面図である。上図と下図は柄の収納構造を示している。上図は延長可能である外筒部分を収納した状態であり、下図は延長可能である外筒部分を延長した状態である。
【考案を実施するための形態】
【０００９】
本考案の使用者は入浴中、通常のシャワーヘッドと同様にシャワーを利用することができる。また、収納構造となっている柄の部分を伸長することでシャワーヘッドを用いて背部などの手の届きにくい部位を掻痒することができる。また、シャワーヘッドの先端部分をあらかじめシャワーヘッドの先端部分に合うように切り取ったスポンジに挿入し、爪の部分を利用して固定することで、背部などの手の届きにくい部位をお湯を出しながらにして洗浄することができる。
【産業上の利用可能性】
【００１０】
本考案のシャワーヘッドの柄の部分は、収納構造となっているため伸長させることも収縮させることも可能であるので、高齢者介護における入浴介助に役立つ可能性がある。また、ホースの位置及び長さによっては浴槽や浴室の洗浄にも利用可能である。
【符号の説明】
【００１１】
1  着脱可能なスポンジ部分
２  先端部の爪状構造
３  シャワーヘッド本体
４  延長可能な外筒部分
【図１】
0003198558.tif 000003
(57)【要約】      （修正有）【課題】湿布薬を一人でも、手の届かない肩、背中、腰等に貼る事を可能にする湿布貼り補助具を提供する。【解決手段】長方形に取つ手のついた形に切り抜いた薄手の鉄板とそれと同形のビニールを張り合わせその張り合わせたものに布カバー３を掛る、又２個のマグネット４を紐５で連結しその連結した布紐の中間に引き紐６を取り付けたもの、これにより布カバーの表面にシールを剥がした湿布薬７をセットしマグネットで固定、患部に貼った後、引紐を上下又は左右に引紐を引く事により体のどの部分にも湿布薬が張れるようにした。【選択図】図２
0003198504.tif 000002
【実用新案登録請求の範囲】
【請求項１】
長方形に取手のついた形に切り抜いた薄手の鉄板と  それと同型の柔軟性のあるビニール系又は樹脂材等を張り合わせ、それに布を被せたもの。
【請求項２】
円形又は方形の小型のマグネット２個をワイヤー又は布紐で連結したもの
【考案の詳細な説明】
【技術分野】
【０００１】本考案は、体の線にフイツトするように薄い鉄板とナイロン、ビニール又は、樹脂系材を張り合わせたものに布カバーをかけ、その上にシールを剥がした湿布薬を広げマグネットの吸着性を活かし湿布薬の４隅を固定し体のどの部分にも簡単に貼布出来るようにした又マグネットにワイヤーを取り付ける事により貼布後容易にマグネットを取り外せるようにした
【背景技術】
【０００２】従来湿布薬を一人で貼るときに肩、背中、腰に貼る事は、大変困難で失敗する事も多かった、それを改善しようとした。
【考案の概要】
【考案が解決しようとする課題】
【０００３】近年我が国に於いては、高齢化に伴い又その他の事情で一人で生活を営む人が非常に多い、その人達が湿布薬を肩、背中、腰等に貼る時手が届かない等の理由で非常に苦労すると云う問題点があった。
【考案を解決する為の手段】
【０００４】持手の付いた薄い鉄板と形状が体の線に沿って変形し又元の形に戻り易いナイロン、ポリ系又は、樹脂系の  材料を張り合わせそれに布を被せる、２個のマグネットをワイヤー又は、布紐等に固定したものを２組用意し布の上に湿布薬の表面シールを剥がしたものを乗せ４隅をマグネットで固定する
それを患部に移動し貼り付ける、後は、ワイヤー叉は、布紐等を引きマグネットを取り除けば希望の箇所に湿布薬を貼る事が出来る。
【考案の効果】
【０００５】一人暮らしの人でも他人の手を煩わせる事なく何時でも、何処でも希望の箇所に一人で湿布薬を貼る事が出来る。
【図１】
0003198504.tif 000003
【図２】
0003198504.tif 000004
【手続補正書】
【提出日】平成27年4月8日(2015.4.8)
【手続補正１】
【補正対象書類名】実用新案登録請求の範囲
【補正対象項目名】全文
【補正方法】変更
【補正の内容】
【実用新案登録請求の範囲】
【請求項１】
長方形に取つ手のついた形に切り抜いた薄手の鉄板とそれと同形のビニールを張り合わせその張り合わせたものに布カバーを掛る、又２個のマグネットを布紐で連結しその連結した布紐の中間に引き紐を取り付けたもの、これにより布カバーの表面にシールを剥がした湿布薬をセットしマグネットで固定、患部に貼った後引紐を上下又は左右に引紐を引く事により体のどの部分にも湿布薬が張れるようにした湿布貼り補助具。
【手続補正２】
【補正対象書類名】明細書
【補正対象項目名】全文
【補正方法】変更
【補正の内容】
【考案の詳細な説明】
【技術分野】
【０００１】本考案は、体の線にフィットするように薄い鉄板とビニールを張り合わせたものに布カバーをかけ、その上にシールを  剥がした湿布薬を広げマグネットの吸着性を活かし湿布薬の４隅を固定し体のどの部分にも簡単に貼布出来るようにした又マグネット２個を布で連結しその連結紐の中間に引き紐を取り付ける事により貼布後引き紐を上下又は左右に引く事によりマグネットを容易に取り外せるようにした湿布貼り補助具
【背景技術】
【０００２】従来湿布薬を一人で貼るときに肩、背中、腰に貼る事は、大変困難で失敗する事も多かった、それを改善しようとした。
【考案の概要】
【考案が解決しようとする課題】
【０００３】近年我が国に於いては、高齢化に伴い又その他の事情で一人で生活を営む人が非常に多い、その人達が湿布薬を肩、背中、腰等に貼る時手が届かない等の理由で非常に苦労すると云う問題点があった。
【考案を解決する為の手段】
【０００４】薄い鉄板とビニールを張り合わせる事により鉄板か折れ曲がるのを防ぎ又補助具を体に蜜着させたとき柔軟性を活かし体にフィットするようにし貼布後は形状が元に戻るようにした、この鉄板とビニールを張り合わせたものに布カバーを掛ける事により鉄板で体が傷ついたり、直接触れるのを防ぐ、又２個のマグネットを布で連結させたのは子供がそれを誤飲したり紛失するのを防ぐ又連結布に引き紐を着ける事により湿布薬を貼布後湿布薬からマグネットを取り外しやすくしたものである。
この補助具で湿布薬を貼るときは補助具を平らな所に置きその上に表面のシールを剥がした湿布薬を置き２組の連結したマグネットで４隅を固定し腰に貼るときは補助具を腰の希望の位置に持っていき両手で補助具を押さえ引き紐を左右に引く事で貼布出来る
又肩、背中に貼るときは腰に貼るときと同様に補助具の上に湿布薬をセットした後補助具の持ち手を持って貼る箇所に移動させ壁に軽く押し付け肩のラインにそって補助具をしのらせその後引き紐を上下に引いてマグネットを外す事で貼る事が出来る
【考案の効果】
【０００５】一人暮らしの人でも他人の手を煩わせる事なく何時でも、何処でも希望の箇所に一人で湿布薬を貼る事が出来る。
【図面の簡単な説明】
【０００６】
【図１】正面図では最初に同じ大きさのビニール１と鉄板２を張り合わせる  次に同じおおきさの布カバー３を張り合わせた１と２に被せ湿布貼り補助具を完成する。
【図２】は平面図であり完成した補助具の上にシールを剥がした状態の湿布薬を置きその上に２組４個のマグネットをお４隅に配置した図である。
【手続補正３】
【補正対象書類名】図面
【補正対象項目名】全図
【補正方法】変更
【補正の内容】
【図１】
0003198504.tif 000005
【図２】
0003198504.tif 000006
(57)【要約】      （修正有）【課題】重包装袋の袋口をミシン縫いせずに熱圧着で袋の強度を維持する場合に発生し易い熱劣化による破袋を防止出来るヒートシールテープを提供する。【解決手段】重包装袋用ヒートシールテープ１は、紙５の片面に２軸延伸フイルム６を貼り、更にフイルム面に熱可塑性接着樹脂７によってその長手方向に平行して１条の開封テープ３が貼着されている。【選択図】図２
0003198507.tif 000002
【実用新案登録請求の範囲】
【請求項１】
紙の片面に２軸延伸フイルムを貼り、更に２軸延伸フイルム面に熱可塑性接着樹脂によってその長手方向に平行して１条の開封テープを貼着した構成からなる重包装袋用ヒートシールテープ。
【請求項２】
前記中間層の２軸延伸フイルムの融点がポリプロピレン樹脂の融点より高い樹脂で成形されている事を特徴とする請求項１に記載の重包装袋用ヒートシールテープ。
【考案の詳細な説明】
【技術分野】
【０００１】本考案は小麦、砂糖などの食品や樹脂、肥料及びセメントなどの粉粒体包装用袋の袋口をシールするのに用いる重包装袋用ヒートシールテープの改良に関するものである。
【背景技術】
【０００２】従来は図１に示すように紙袋４の両口又は片口をミシン糸２で縫い合わせた袋が広く使用されていた。【０００３】ミシンにて縫製した袋は開封の際に、ミシン糸の破片が異物として充填物に混入トラブルがあった。【０００４】ミシンで縫製せずに袋の袋口をヒートシールするだけで、縫製した袋と同等の強度を維持するテープが使用されるようになった。【０００５】前記ミシン縫製せずに同等の強度を維持するヒートシールテープの構成として、直交交差状ポリエチレン織物を紙と貼り合わせた後直交交差状ポリエチレン織物面に熱可塑性接着性樹脂をコーティングしたタイプが知られている。【０００６】直交交差状ポリエチレン織物を紙と貼り合わせた後直交交差状ポリエチレン織物面に熱可塑性接着性樹脂によってその長手方向に平行して開封テープを１条貼着する。このことにより、易開封性を付加するようになった。【０００７】使用する開封テープはポリプロピレン樹脂を原料にした製品が多く使用されている。
【考案の概要】
【考案が解決しようとする課題】
【０００８】従来の構成に於いて紙と直交交差状ポリエチレン織物を貼り合わせたタイプはヒートシールの際に熱劣化を受けやすいため、強度低下による破袋が発生し易かった。
【課題を解決する為の手段】
【０００９】紙の片面に２軸延伸フイルムを貼り、更に２軸延伸フイルム面と熱可塑性接着樹脂によってその長手方向に平行して１条の開封テープを貼着した構成からなる重包装袋用ヒートシールテープ。
【００１０】前記中間層の２軸延伸フイルム６の融点が開封テープに使用されているポリプロピレン樹脂の融点より高い樹脂で成形されている事を特徴とする包装袋用ヒートシールテープ。
【考案の効果】
【００１１】本考案と紙と直交交差状ポリエチレン織物を貼り合わせたタイプとの熱劣化を比較した表１が示す様に、ポリプロピレン製の開封テープの熱劣化発生温度８より低い温度であっても紙と直交交差状ポリエチレン織物を貼り合わせたタイプは熱劣化が発生する。しかし本考案は熱劣化発生温度８において熱劣化を受ける事は無かった。尚、表１中の本考案基材は図２において、符号５，６，７に該当する。
（試験条件：熱板プレス時間：約２秒、試料幅：本発明及び紙と直交交差状ポリエチレン織物貼り合わせタイプは５０ｍｍ幅、開封テープは４ｍｍ幅）
【００１２】
【表１】
0003198507.tif 000003
【００１３】本考案は熱劣化による強度低下が発生しないだけではなく、２軸延伸フイルムを使用している理由により開封テープによる開封時直線カット性に優れている。この事は開封時に発生する紙粉を抑え異物混入防止効果を発揮する。
【００１４】本考案に於いて２軸延伸ポリエステルフイルムを使用した場合、油分の多い飼料袋やペットフード袋等の油滲みを防止出来る効果がある。
【図面の簡単な説明】
【００１５】
【図１】従来の技術  平面図。
【図２】本考案の平面図及び断面部分の拡大説明図。
【図３】平袋に本考案を熱圧着した説明図
【図４】１回折りした袋に本考案を熱圧着した説明図
【図５】平袋での開封状態説明図
【図６】１回折りした袋での開封状態説明図
【考案を実施する為の形態】
【００１６】本考案を複数の紙で構成された重包装袋にて実施した実施例について説明するが、本考案は食品、工業品、各種飼料、肥料などの粉粒体の重包装袋に適用できる。
【実施例】
【００１７】紙５の片面に２軸延伸フイルム６を貼り、更に２軸延伸フイルム面と熱可塑性接着樹脂７によってその長手方向に平行して１条の開封テープ３を貼着した構成の本考案ヒートシールテープ図２の長手方向に熱可塑性接着樹脂を内側にして２つ折にする。【００１８】図３及び図４は複数の紙で構成された重包装袋の袋口に、前記長手方向に熱可塑性樹脂を内側にして２つ折にした本考案を熱圧着によって貼り付けた図である。【００１９】使用される袋の形態は図３の様に平袋や図４の様に袋口を１回折り曲げた袋があり、それぞれの袋口位置に開封テープを貼着したテープ１を用いて袋４に熱圧着する。【００２０】熱圧着後の本考案の強度は表１のように熱劣化による強度の低下が無い良好な状態であった。【００２１】内容物を取り出す際はそれぞれ図５及び図６の様に開封テープを引いて開口の後、内容物を取り出す。
【符号の説明】
【００２２】１  ヒートシールテープ本体
２  ミシン糸
３  開封テープ
４  袋本体
５  紙
６  ２軸延伸フイルム
７  熱可塑性接着樹脂
８  開封テープの熱劣化発生温度
【図１】
0003198507.tif 000004
【図２】
0003198507.tif 000005
【図３】
0003198507.tif 000006
【図４】
0003198507.tif 000007
【図５】
0003198507.tif 000008
【図６】
0003198507.tif 000009
【手続補正書】
【提出日】平成27年4月13日(2015.4.13)
【手続補正１】
【補正対象書類名】実用新案登録請求の範囲
【補正対象項目名】請求項２
【補正方法】変更
【補正の内容】
【請求項２】
２軸延伸フイルムの融点がポリプロピレン樹脂の融点より高い樹脂で成形されている事を特徴とする請求項１に記載の重包装用ヒートシールテープ。